(57)【特許請求の範囲】
【請求項１】
回転しつつ帯電手段により表面に一様に帯電され、露光手段により選択的に放電されて静電潜像が形成される潜像担持体と、この潜像担持体の表面に選択的に異なる色のカラートナーを付与して前記潜像を可視像とする複数の現像器と、順次異なる色のカラートナーにより現像されたトナー像を中間転写媒体に転写する一次転写部と、中間転写媒体上に重ね合わせられて転写された全色カラートナー像を記録紙に転写する二次転写部とを有する画像形成方式において、
画像形成工程中に前記記録紙が用紙経路に詰まって起こる紙詰まりの処理後に、前記中間転写媒体をクリーニングすると共に、その後、前記中間転写媒体に前記二次転写部において二次転写バイアス電圧を印加しながら少なくとも１回転空転させるようにしたことを特徴とする画像形成方式。
【請求項２】
前記紙詰まりが前記二次転写部より下流において発生した場合には、前記の中間転写媒体のクリーニングとその後の空転とを行わせないようにしたことを特徴とする請求項１記載の画像形成方式。
【請求項３】
前記二次転写部において前記中間転写媒体に二次転写バイアス電圧を印加する二次転写バイアス印加電源として定電流電源が用いられることを特徴とする請求項１又は２記載の画像形成方式。
【請求項４】
前記一次転写部において前記中間転写媒体に一次転写バイアス電圧を印加する一次転写バイアス印加電源として定電圧電源が用いられていることを特徴とする請求項１から３の何れか１項記載の画像形成方式。
【発明の詳細な説明】
【０００１】
【発明の属する技術分野】
本発明は、電子写真法を用いたプリンター、ファクシミリ、複写機等の画像形成装置の画像形成方式に関し、特に、感光体等の潜像担持体上に形成されたトナー像が一次転写され、このトナー像をさらに記録媒体に二次転写する中間転写媒体を備えた画像形成装置の画像形成方式に関するものである。
【０００２】
【従来の技術】
一般に、電子写真技術を用いた画像形成装置は、潜像担持体としての外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤としてのトナーを帯電させて付与し可視像（トナー像）とする現像手段と、この現像手段により現像されたトナー像を用紙等の記録媒体に転写させる転写装置とを有している。
【０００３】
そして、感光体上に現像されたトナー像を用紙等の記録媒体に転写させる転写装置としては、従来、感光体上に形成されたトナー像が転写（一次転写）され、このトナー像をさらに記録媒体に転写（二次転写）する中間転写媒体を備えたものが知られている。
【０００４】
図６は、このような中間転写媒体を備えた画像形成装置の１例を示す図で、（ａ）は概略斜視図、（ｂ）は図（ａ）におけるｂ−ｂ部分断面図である。
【０００５】
図６において、２０１は感光体であり、導電層２０１ａと、この導電層２０１ａ上に形成された感光層２０１ｂとを有している。導電層２０１ａは接地されている。
【０００６】
２０２は中間転写媒体であり、例えば体積抵抗値が略１０7 〜１０14Ωｃｍの誘電体（中抵抗層）で構成されている。このような中間転写媒体２０２は、合成樹脂等に導電性カーボンを混練することによって作成することができる。
【０００７】
中間転写媒体２０２は、少なくとも画像形成時には感光体２０１と接触し、この接触部Ｒ１が一次転写部を形成する。一次転写部Ｒ１には、中間転写媒体２０２の内方に一次転写ローラ２０３が配置されており、この一次転写ローラ２０３の圧接によって中間転写媒体２０２に一次転写電圧が印加される。
【０００８】
また、中間転写媒体２０２には、二次転写電圧を印加する二次転写ローラ２０４が圧接され、この圧接部が二次転写部Ｒ２を形成する。二次転写部Ｒ２には、中間転写媒体２０２の内方からバックアップローラ２０５が配置されている。
【０００９】
画像形成時には、先ず、感光体２０１および中間転写媒体２０２が回転駆動され、感光体２０１の感光層２０１ｂが帯電手段（図示せず）で一様に帯電させられた後に露光手段（図示せず）で選択的に露光されて静電潜像が形成される。次いで、静電潜像に現像手段（図示せず）で現像剤であるトナーが付与されて可視像（トナー像）となり、このトナー像が、一次転写部Ｒ１において中間転写媒体２０２上に転写され、その後、二次転写部Ｒ２において、この二次転写部Ｒ２に供給される用紙等の記録媒体に転写される。
【００１０】
トナー像が転写された記録媒体は、図示しない定着器を通過することによってトナー像が定着される。
【００１１】
上記のような均一な抵抗体で形成される中間転写媒体２０２を有する画像形成装置においては、一般的に転写電界は転写部裏面に当接する一次転写ローラ２０３により付与されるが、中間転写媒体２０２に歪み等が発生したり一次転写ローラ２０３にごみが付着した場合、部分的に電界が付与できなくなり転写部の電界が不均一となり転写された画像にむらが発生する。
【００１２】
そこで、中間転写媒体２０２として、図７に示すように、合成樹脂からなる絶縁性基体２０２ｃの上に一体的に形成された導電層２０２ａと、その上に一体的に形成され感光体２０１に圧接される抵抗層２０２ｂとで構成されたものを用いるものも知られており、その場合は、その中間転写媒体２０２の側縁部において抵抗層２０２ｂを帯状に除去して導電層２０２ａを帯状に露出しておき、この露出部に電極ローラが接触して一次転電圧を印加するようにしている。このように導電層２０２ａを有する中間転写媒体２０２を用いる画像形成装置においては、中間転写媒体２０２に歪みが発生したり、転写部のローラーにごみが付着した場合にも、転写部全域に均一な転写の電界が付与できるため、転写に起因する画像むらがなくなるという長所を有する。
【００１３】
このような一次転電圧が印加される導電層２０２ａを有する中間転写媒体２０２を用いる画像形成装置においては、高速化のために一次転写と二次転写のタイミングを重なるようにしなければならないため、一次転写電圧電源として定電圧電源を、二次転写電圧電源として定電流電源を用いている（特開平９−１６０３９５号）。
【００１４】
なお、米国特許第５，２４３，３９２号においては、体積抵抗値が略１０12Ωｃｍ以上で、緩和時間が０．３〜２００ｍｓという高抵抗ベルトの中間転写体媒体を用いて効率的に二次転写を行わせるものが提案されている。
【００１５】
【発明が解決しようとする課題】
図６、図７のような構成において、体積抵抗率の低い中間転写媒体２０２を用いると、ライン間にトナーが飛び散ったり抜けたりする現象が顕著に発生にしてライン画像の劣化が顕著だったり、感光体メモリを発生させやすかったりするが、中間転写媒体２０２の体積抵抗率をある程度高くすることで、これらの問題は解決可能である。
【００１６】
しかしながら、高抵抗の中間転写媒体を用いると当然のことながら帯電されやすくなり、問題が生じる。具体的には、中間転写媒体の抵抗の高くなる乾燥環境で、用紙のフィードミスの後や、二次転写中の用紙ジャムの後等に、中間転写媒体に一次転写されて残っている多量のトナー（通常の正常な画像形成時の転写残りのトナーよりも多い。）をクリーニングすると、トナーの帯電極性が例えば負の場合、クリーニング時の摺擦によりトナーが負に強く帯電してしまうため、部分的に異常放電が起きると推察され、中間転写媒体に部分的に負に強く帯電した部分が発生し、画像が斑点状に白く抜ける現象が起きることが分かった。この問題は、従来は、中間転写媒体が感光体電位や転写バイアス等の影響により部分的な過帯電をすると発生すると考えられていたが、中間転写媒体の転写バイアス印加による表面電位の絶対値には余り依存せず、実は上記のようにクリーニング時に生じる帯電であることを発見した。
【００１７】
この問題に対しては、導電性のクリーニングブレードで中間転写媒体をクリーニングすることが考えられるが、コストアップになるため必ずしも好ましい対策ではない。
【００１８】
本発明は従来技術のこのような問題点に鑑みてなされたものであり、その目的は、用紙のフィードミスやジャムによって中間転写媒体が部分的に帯電することにより画像が斑点状に白く抜ける現象を防止して安定的な画像形成動作が可能な画像形成方式を提供することにある。
【００１９】
【課題を解決するための手段】
上記目的を達成する本発明の画像形成方式は、回転しつつ帯電手段により表面に一様に帯電され、露光手段により選択的に放電されて静電潜像が形成される潜像担持体と、この潜像担持体の表面に選択的に異なる色のカラートナーを付与して前記潜像を可視像とする複数の現像器と、順次異なる色のカラートナーにより現像されたトナー像を中間転写媒体に転写する一次転写部と、中間転写媒体上に重ね合わせられて転写された全色カラートナー像を記録紙に転写する二次転写部とを有する画像形成方式において、
画像形成工程中に前記記録紙が用紙経路に詰まって起こる紙詰まりの処理後に、前記中間転写媒体をクリーニングすると共に、その後、前記中間転写媒体に前記二次転写部において二次転写バイアス電圧を印加しながら少なくとも１回転空転させるようにしたことを特徴とするものである。
【００２０】
この場合、紙詰まりが二次転写部より下流において発生した場合には、中間転写媒体のクリーニングとその後の空転とを行わせないようにすることができる。
【００２１】
また、二次転写部において中間転写媒体に二次転写バイアス電圧を印加する二次転写バイアス印加電源として定電流電源を用いることが望ましい。
【００２２】
また、一次転写部において中間転写媒体に一次転写バイアス電圧を印加する一次転写バイアス印加電源として定電圧電源を用いることが望ましい。
【００２３】
本発明においては、画像形成工程中に記録紙が用紙経路に詰まって起こる紙詰まりの処理後に、中間転写媒体をクリーニングすると共に、その後、中間転写媒体に二次転写部において二次転写バイアス電圧を印加しながら少なくとも１回転空転させるようにしたので、二次転写バイアスにより流れ込む電流により、中間転写媒体上の部分的に強く反対極性に帯電した部分が緩和されて一様な電位になり、そのため、その後の画像形成動作において、画像が斑点状に白く抜ける転写不良が起きることが防止され、装置のコストアップも生じずに信頼性のある画像形成装置を実現することができる。
【００２４】
【発明の実施の形態】
以下、本発明の画像形成方式を適用する電子写真法を用いた画像形成装置のプリンターの１例の全体の構成を説明する。
【００２５】
図１は、本発明の画像形成方式を適用する画像形成装置の１つの実施形態を示す図である。また、図２は、図１の画像形成装置の電気的構成を示すブロック図である。この画像形成装置は、イエロー（Ｙ）、シアン（Ｃ）、マゼンタ（Ｍ）、ブラック（Ｋ）の４色のトナーを重ね合わせてフルカラー画像を形成したり、ブラック（Ｋ）のトナーのみを用いてモノクロ画像を形成する装置である。この画像形成装置では、ホストコンピュータ等の外部装置から画像信号が制御ユニット１のメインコントローラ１１に与えられると、このメインコントローラ１１からの指令に応じてエンジンコントローラ１２が画像形成手段として機能するエンジン部Ｅの各部を制御してシートＳに画像信号に対応する画像を形成する。
【００２６】
このエンジン部Ｅでは、像担持体ユニット２の感光体２１にトナー像を形成可能となっている。すなわち、像担特体ユニット２は、図１の矢印方向に回転可能な感光体２１を備えており、さらに、感光体２１の周りにその回転方向に沿って、帯電手段としての帯電ローラ２２、現像手段としての現像器２３Ｙ、２３Ｃ、２３Ｍ、２３Ｋ、及び、クリーニング部２４がそれぞれ配置されている。帯電ローラ２２は、帯電バイアス発生部１２１から高電圧が印加されており、感光体２１の外周面に当接して外周面を均一に帯電させる。感光体２１は、図３に示すように、導電層２１ａと、この導電層２１ａ上に形成された感光層２１ｂとを有している。
【００２７】
そして、この帯電ローラ２２によって帯電された感光体２１の外周面に向けて露光ユニット３からレーザ光Ｌが照射される。この露光ユニット３は、図２に示すように、画像信号切換部１２２と電気的に接続されており、この画像信号切換部１２２を介して与えられる画像信号に応じてレーザ光Ｌを感光体２１上に走査露光して感光体２１上に画像信号に対応する静電潜像を形成する。例えば、エンジンコントローラ１２のＣＰＵ１２３からの指令に基づき、画像信号切換部１２２がパッチ作成モジュール１２４と導通している際には、パッチ作成モジュール１２４から出力されるパッチ画像信号が露光ユニット３に与えられてパッチ潜像が形成される。一方、画像信号切換部１２２がメインコントローラ１１のＣＰＵ１１１と導通している際には、ホストコンピュータ等の外部装置よりインターフェース１１２を介して与えられた画像信号に応じてレーザ光Ｌを感光体２１上に走査露光して感光体２１上に画像信号に対応する静電潜像が形成される。
【００２８】
こうして形成された静電潜像は現像部２３によってトナー現像される。すなわち、この実施形態では、現像部２３として、イエロー用の現像器２３Ｙ、シアン用の現像器２３Ｃ、マゼンタ用の現像器２３Ｍ、及び、ブラック用の現像器２３Ｋがこの順序で感光体２１に沿って配置されている。これらの現像器２３Ｙ、２３Ｃ、２３Ｍ、２３Ｋは、それぞれ感光体２１に対して接離自在に構成されており、エンジンコントローラ１２からの指令に応じて、上記４つの現像器２３Ｙ、２３Ｍ、２３Ｃ、２３Ｋの中の１つの現像器が選択的に感光体２１に当接すると共に、現像バイアス発生部１２５によって高電圧が現像器の現像ローラ２５に印加されて選択された色のトナーを感光体２１の表面に付与して感光体２１上の静電潜像を顕在化する。
【００２９】
現像部２３で現像されたトナー像は、ブラツク用現像器２３Ｋとクリーニング部２４との間に位置する一次転写領域Ｒｌで転写ユニット４の中間転写ベルト４１上に一次転写される。なお、この転写ユニット４の構造については後で詳述する。
【００３０】
また、一次転写領域Ｒ１から周方向（図１の矢印方向）に進んだ位置には、クリーニング部２４が配置されており、一次転写後に感光体２１の外周面に残留付着しているトナーを掻き落とす。
【００３１】
次に、転写ユニット４の構成について説明する。この実施形態では、転写ユニット４は、ローラ４２〜４７と、これら各ローラ４２〜４７に掛け渡された中間転写ベルト４１と、この中間転写ベルト４１に転写された中間トナー像をシートＳに二次転写する二次転写ローラ４８とを備えている。
【００３２】
この中間転写ベルト４１は、図７で説明した従来例と同様に、図３に断面を示すように、合成樹脂からなる絶縁性基体４１ｃの上に一体的に形成された導電層４１ａと、その上に一体的に形成され感光体２１に圧接される抵抗層４１ｂとで構成されたものを用いており、その中間転写ベルト４１の側縁部において抵抗層４１ｂを帯状に除去して導電層４１ａを帯状に露出しておき、この露出部に電極ローラ５０が接触することにより、一次転写バイアス発生部１２６から一次転写電圧が印加されている。そして、カラー画像をシートＳに転写する場合には、一次転写バックアップローラ４２を実線位置へ変倚させて中間転写ベルト４１を感光体２１に圧接させて、感光体２１上に形成される各色のトナー像を中間転写ベルト４１の導電層４１ａに印加された一次転写電圧によって中間転写ベルト４１上に転写させ、感光体２１と中間転写ベルト４１を循環駆動させて各色のトナー像を中間転写ベルト４１上に重ね合わせて転写してカラー像を形成すると共に、給排紙ユニット６の給紙部６３によってカセット６１、手差しトレイ６２あるいは増設カセット（図示省略）からシートＳを取出して二次転写領城Ｒ２に搬送する。そして、二次転写バックアップローラ４５に対してシートＳの裏面側から二次転写ローラ４８を実線位置へ変倚させて圧接し、二次転写バイアス発生部１２９から二次転写電圧を印加して、このシートＳにカラー像を二次転写してフルカラー画像を得る。また、モノクロ画像をシートＳに転写する場合には、感光体２１上にブラックトナー像のみを形成し、中間転写ベルト４１上に転写し、カラー画像の場合と同様にして二次転写領域Ｒ２に搬送されてきたシートＳに転写してモノクロ画像を得る。
【００３３】
二次転写後、中間転写ベルト４１の外周面に残留付着しているトナーについては、ベルトクリーナ４９によって除去される。このベルトクリーナ４９は、中間転写ベルト４１を挟んでローラ４６と対向して配置されており、適当なタイミングでクリーナブレードが中間転写ベルト４１に対して当接してその外周面に残留付着しているトナーを掻き落す。
【００３４】
また、ローラ４３の近傍には、中間転写ベルト４１の外周面に形成されるパッチ画像の濃度を検出するためのパッチセンサＰＳが配置されると共に、中間転写ベルト４１の基準位置を検出するための同期用読取センサＲＳが配置されている。
【００３５】
図１に戻って、エンジン部Ｅの構成説明を続ける。転写ユニット４によってトナー像が転写されたシートＳは、給排紙ユニット６の給紙部６３によって所定の給紙経路（２点鎖線）に沿づて二次転写碩域Ｒ２の下流側に配設された定着ユニット５に搬送され、搬送されてくるシートＳ上のトナー像をシートＳに定着する。そして、当該シートＳはさらに給紙経路６３０にそって排紙部６４に搬送される。
【００３６】
この排紙部６４は２つの排紙経路６４１ａ、６４１ｂを有しており、一方の排紙経路６４１ａは定着ユニット５から標準排紙トレイに延びると共に、他方の排紙経路６４１ｂは排紙経路６４１ａと略平行に、再給紙部６６とマルチビンユニットとの間に延びている。これらの排紙経路６４１ａ、６４１ｂに沿って３組のローラ対６４２〜６４４が設けられており、定着済みのシートＳを標準排紙トレイやマルチビンユニット側に向けて排出したり、その他方面側にも画像を形成するために再給紙部６６側に搬送したりする。
【００３７】
この再給紙部６６は、図１に示すように、上記のように排紙部６４から反転搬送されてきたシートＳを再給紙経路６６４（２点鎮線）に沿って給紙部６３のゲートローラ対６３７に搬送するものであり、再給紙経路６６４に沿って配設された３つの再給紙ローラ対６６１〜６６３で構成されている。このように、排紙部６４から搬送されてきたシートＳを再給紙経路６６４に沿ってゲートローラ対６３７に戻すことによって給紙部６３においてシートＳの非画像形成面が中間転写ベルト４１を向いて当該面に画像を二次転写可能となる。
【００３８】
なお、図２において、符号１１３はホストコンピュータ等の外部装置よりイーターフェース１１２を介して与えられた画像を記憶するためにメインコントローラ１１に設けられた画像メモリであり、符号１２７はエンジン部Ｅを制御するための制御データやＣＰＵ１２３における演算結果等を一時的に記憶するためのＲＡＭであり、さらに、符号１２８はＣＰＵ１２３で行う演算プログラム等を記憶するＲＯＭである。
【００３９】
ここで、上記の画像形成装置においては、一次転写部Ｒ１で中間転写ベルト４１に一次転写電圧を印加する一次転写バイアス発生部１２６は定電圧電源から構成され、二次転写領域Ｒ２で二次転写ローラ４８に二次転写電圧を印加する二次転写バイアス発生部１２９は定電流電源から構成されている。
【００４０】
また、中間転写ベルト４１の抵抗層４１ｂの体積抵抗率は、一次転写電圧２５０Ｖ印加時で１．５×１０12Ωｃｍ（２３℃，６５％ＲＨ）である。
【００４１】
このような装置において、感光体２１にマイナス帯電し、現像器２３Ｙ、２３Ｃ、２３Ｍ、２３Ｋでマイナス帯電一成分非磁性トナーで反転現像する場合について説明する。
【００４２】
画像形成工程において、カセット６１、手差しトレイ６２あるいは増設カセット（図示省略）からシートＳを取出して損ねるフィードミス、あるいは、給紙経路にシートＳのジャムが発生した場合、すなわち、以後、このフィードミスとジャムの両者を紙詰まりと言うが、この紙詰まりが発生した場合、前記したように、中間転写ベルト４１に一次転写されて残っている多量のトナーをベルトクリーナ４９によってクリーニングすると、中間転写ベルト４１に部分的に負に強く帯電した部分が発生し、画像が斑点状に白く抜ける現象が起きる。この現象を防止するために、本発明においては、紙詰まりが発生した場合、エンジンコントローラ１２が図４に示すフローチャートに従った処理を自動的に行うようにする。
【００４３】
すなわち、紙詰まりが発生すると、ステップＳＴ１で、装置を停止させ、ステップＳＴ２で、その紙詰まり位置が二次転写部Ｒ２より下流か否かを判定する。紙詰まり位置が二次転写部Ｒ２を含みその上流である場合には、中間転写ベルト４１上に一次転写されたトナーが残っていることは確実であるので、ステップＳＴ３で、操作者がその紙詰まり処理を行うまで待ち、その紙詰まり処理後に、まず、ステップＳＴ４で、中間転写ベルト４１上のトナーをベルトクリーナ４９でクリーニングする。次に、ステップＳＴ５で、クリーニング後の中間転写ベルト４１に二次転写ローラ４８を実線位置へ変倚させて、二次転写バイアス発生部１２９から二次転写バイアス電圧を印加しながら、中間転写ベルト４１を１回転以上空転させることにより、中間転写ベルト４１上の部分的に強く負に帯電した部分を緩和させて一様にして、上記の画像が斑点状に白く抜ける転写不良が起きないようにする。その後、ステップＳＴ７で、正規の画像形成動作に復帰させる。なお、ステップＳＴ２で紙詰まり位置が二次転写部Ｒ２より下流であると判定された場合には、中間転写ベルト４１上に一次転写されたトナーは二次転写部Ｒ２でジャムを起こしたシートＳ上に転写された後であるので、ステップＳＴ６で、操作者がその紙詰まり処理を行うまで待ち、その紙詰まり処理後に、ステップＳＴ７の正規の画像形成動作に復帰させるようにする。
【００４４】
上記のステップＳＴ４とステップＳＴ５の動作のタイミングチャートの１例を図５に示す。図５の例においては、操作者の紙詰まり処理の後、エンジンコントローラ１２は中間転写ベルト（中媒）４１を２周させる。その１周目においては、メインモータの回転が開始すると、帯電ローラ２２には帯電バイアス発生部１２１から何ら帯電バイアス電圧が印加されず、また、現像器２３Ｙ、２３Ｃ、２３Ｍ、２３Ｋの何れもが感光体２１に対して当接されず離れたままに保たれるが、中間転写ベルト（中媒）４１には一次転写バイアスが印加される。そして、この１周目において、ベルトクリーナ４９のクリーナブレードが中間転写ベルト４１に対して当接してその外周面に残っている本来二次転写されるべきトナーを掻き落としてクリーニング（中媒清掃）すると共に、図１に図示していない二次転写ローラ４８のクリーニング装置によりこの二次転写ローラ４８を清掃する。
【００４５】
次いで、中間転写ベルト（中媒）４１の２周目においては、引き続きメインモータが回転すると共に、帯電バイアス電圧も印加されず、現像器２３Ｙ、２３Ｃ、２３Ｍ、２３Ｋの何れもが感光体２１に対して当接されず離れたままに保たれ、一方、一次転写バイアスは印加される。そして、この２周目においては、クリーニング後の中間転写ベルト４１に、定電流電源からなる二次転写バイアス発生部１２９から二次転写部Ｒ２の二次転写ローラ４８に二次転写バイアスが印加され、ここで二次転写ローラ４８から流れ込む電流により、中間転写ベルト４１上の部分的に強く負に帯電した部分が緩和されて一様な電位になる。そのため、その後の画像形成動作において、画像が斑点状に白く抜ける転写不良が起きることはなくなる。
【００４６】
なお、上記において、中間転写ベルト４１のクリーニング後に二次転写バイアスを印加させながら空転させる回数は、１回に限らず、２回以上でもよい。また、１周目、２周目において一次転写バイアスは必ずしも印加し続ける必要はない。
【００４７】
このような装置において、実験環境として、１０℃で１５％ＲＨの場合に、中間転写ベルト４１のクリーニング後の中間転写ベルト（中媒）４１の周回数とその後に形成した画像の状態を見たところ、次の表１のような結果が得られた。
0003693098.tif 000002
【００４８】
また、実験環境として、１５℃で３５％ＲＨの場合に、同様の実験をしたところ、次の表２のような結果が得られた。
0003693098.tif 000003
【００４９】
以上の実験結果から、紙詰まり処理後に、本発明のような処理工程を行うことにより、信頼性のある画像形成が可能になることが明らかである。
【００５０】
以上、本発明の画像形成方式を実施例に基づいて説明してきたが、本発明はこれら実施例に限定されず種々の変形が可能である。
【００５１】
【発明の効果】
以上の説明から明らかなように、本発明の画像形成方式によると、画像形成工程中に記録紙が用紙経路に詰まって起こる紙詰まりの処理後に、中間転写媒体をクリーニングすると共に、その後、中間転写媒体に二次転写部において二次転写バイアス電圧を印加しながら少なくとも１回転空転させるようにしたので、二次転写バイアスにより流れ込む電流により、中間転写媒体上の部分的に強く反対極性に帯電した部分が緩和されて一様な電位になり、そのため、その後の画像形成動作において、画像が斑点状に白く抜ける転写不良が起きることが防止され、装置のコストアップも生じずに信頼性のある画像形成装置を実現することができる。
【図面の簡単な説明】
【図１】本発明の画像形成方式を適用する画像形成装置の１つの実施形態を示す図である。
【図２】図１の画像形成装置の電気的構成を示すブロック図である。
【図３】中間転写ベルトと感光体の層構成示す断面図である。
【図４】本発明に基づく紙詰まり発生後の処理の１実施例のフローチャートである。
【図５】本発明に基づく紙詰まり発生後の処理の要部のタイミングチャートの１例を示す図である。
【図６】中間転写媒体を備えた画像形成装置の１例を示す図である。
【図７】図６の変形例における中間転写媒体と感光体の層構成示す断面図である。
【符号の説明】
Ｅ…エンジン部
Ｓ…シート
Ｌ…レーザ光
Ｒ１…一次転写領域
Ｒ２…二次転写領城
ＰＳ…パッチセンサ
ＲＳ…同期用読取センサ
１…制御ユニット
２…像担持体ユニット
３…露光ユニット
４…転写ユニット
５…定着ユニット
６…給排紙ユニット
１１…メインコントローラ
１２…エンジンコントロトラ
２１…感光体
２１ａ…導電層
２１ｂ…感光層
２２…帯電ローラ
２３…現像部
２３Ｙ…イエロー用現像器
２３Ｃ…シアン用現像器
２３Ｍ…マゼンタ用現像器
２３Ｋ…ブラック用現像器
２４…クリーニング部
２５…現像ローラ
４１…中間転写ベルト
４１ａ…導電層
４１ｂ…抵抗層
４１ｃ…絶縁性基体
４２…一次転写バックアップローラ
４３、４４…ローラ
４５…二次転写バックアップローラ
４６、４７…ローラ
４８…二次転写ローラ
４９…ベルトクリーナ
５０…電極ローラ
６１…カセッ
６２…手差しトレイ
６３…給紙部
６４…排紙部
６６…再給紙部
１１１…ＣＰＵ
１１２…インターフェース
１１３…画像メモリ
１２１…帯電バイアス発生部
１２２…画像信号切換部
１２３…ＣＰＵ
１２４…パッチ作成モジュール
１２５…現像バイアス発生部
１２６…一次転写バイアス発生部
１２７…ＲＡＭ
１２８…ＲＯＭ
１２９…二次転写バイアス発生部
６３０…給紙経路
６３７…ゲートローラ対
６４１ａ、６４１ｂ…排紙経路
６４２〜６４４…ローラ対
６６１〜６６３…再給紙ローラ対
６６４…再給紙経路
【図１】
0003693098.tif 000004
【図２】
0003693098.tif 000005
【図３】
0003693098.tif 000006
【図４】
0003693098.tif 000007
【図５】
0003693098.tif 000008
【図６】
0003693098.tif 000009
【図７】
0003693098.tif 000010